(57)【要約】      （修正有）【課題】臀部を上から持ち上げてヒップアップ効果を得るとともに、お腹の位置でクロスするお腹引きしめ用パワーネット帯体で、お腹を窮屈感なく、すっきり引きしめることができる水着を提供する。【解決手段】外着部、パンツ部およびこの外着部とパンツ部とを接続する伸縮素材の裏地とからなるワンピースタイプの水着において、パンツ部の後足繰りラインの内面の裏地に沿って、両端部が該パンツ部の前身頃と後身頃の縫着部に縫着固定された裏地に縫着されたほぼＵ字状の臀部を引き上げることができるパワーネット帯体と、一端部がパンツ部の内面の裏地の前足繰りライン左右部位に縫着固定され、お腹の位置する部位でクロスするように裏地に縫着され、他端部が外着部の脇の下部位の前身頃と後身頃の縫着部に縫着固定されたお腹引きしめ用パワーネット帯体とで水着を構成している。【選択図】図１
0003150008.tif 000002
【実用新案登録請求の範囲】
【請求項１】
外着部、パンツ部およびこの外着部とパンツ部とを接続する伸縮素材の裏地とからなるワンピースタイプの水着において、前記パンツ部の後足繰りラインの内面の裏地に沿って、両端部が該パンツ部の前身頃と後身頃の縫着部に縫着固定された裏地に縫着されたほぼＵ字状の臀部を引き上げることができるパワーネット帯体と、一端部が前記パンツ部の内面の裏地の前足繰りライン左右部位に縫着固定され、お腹の位置する部位でクロスするように裏地に縫着され、他端部が前記外着部の脇の下部位の前身頃と後身頃の縫着部に縫着固定されたお腹引きしめ用パワーネット帯体とからなることを特徴とする水着。
【請求項２】
お腹引き締め用パワーネット帯体は外着部の脇の下部位に縫着される部位よりもパンツ部の前足繰りライン部位に逢着される部分が幅広に形成されていることを特徴とする請求項１記載の水着。
【考案の詳細な説明】
【技術分野】
【０００１】
本考案は無理なく、きれいに着こなすことができるヒップラインの持ち上げ、お腹の引きしめが可能な水着に関する。
【背景技術】
【０００２】
従来、お腹の引きしめが可能に腹部にクロス状に位置するパワーネット帯体を設けたり、ヒップ部を下から落ち上げられるようにヒップラインに沿って縫着されたヒップアップ用パワーネット帯体を設けた水着が考えられている。
【０００３】
しかしながら、ヒップラインに沿って逢着されたパワーネット帯体は前中心身頃部より、後身頃のヒップ部に位置するようにヒップアップ用のパワーネット帯体を逢着している。
このため、ヒップアップ用パワーネット帯体によって、パンツ部の前中心身頃部も後方へ引っ張られる状態となり、窮屈な感じになるとともに、きれいな状態で着用することができないという欠点があった。  
【先行技術文献】
【特許文献】
【０００４】
【特許文献１】特開２００７−２９１５７４
【考案の概要】
【考案が解決しようとする課題】
【０００５】
本考案は以上のような従来の欠点に鑑み、パンツ部の後足繰りラインの内面の裏地に沿って、両端部がパンツ部の前身頃と後身頃の縫着部にほぼＵ
字状の臀部を引き上げることができるパワーネット帯体によって、ヒップの臀部を上から持ち上げてヒップアップ効果を得るとともに、お腹の位置でクロスするお腹引きしめ用パワーネット帯体でお腹を窮屈感なく、すっきり引きしめることができる水着を提供することを目的としている。
【０００６】
本考案の前記ならびにそのほかの目的と新規な特徴は次の説明を添付図面と照らし合わせて読むと、より完全に明らかになるであろう。
ただし、図面はもっぱら解説のためのものであって、本考案の技術的範囲を限定するものではない。
【課題を解決するための手段】
【０００７】
上記目的を達成するために、本考案は外着部、パンツ部およびこの外着部とパンツ部とを接続する伸縮素材の裏地とからなるワンピースタイプの水着において、前記パンツ部の後足繰りラインの内面の裏地に沿って、両端部が該パンツ部の前身頃と後身頃の縫着部に縫着固定された裏地に縫着されたほぼＵ字状の臀部を引き上げることができるパワーネット帯体と、一端部が前記パンツ部の内面の裏地の前足繰りライン左右部位に縫着固定され、お腹の位置する部位でクロスするように裏地に縫着され、他端部が前記外着部の脇の下部位の前身頃と後身頃の縫着部に縫着固定されたお腹引きしめ用パワーネット帯体とで水着を構成している。
【考案の効果】
【０００８】
以上の説明から明らかなように、本考案にあっては次に列挙する効果が得られる。
【０００９】
（１）外着部、パンツ部およびこの外着部とパンツ部とを接続する伸縮素材の裏地とからなるワンピースタイプの水着において、前記パンツ部の後足繰りラインの内面の裏地に沿って、両端部が該パンツ部の前身頃と後身頃の縫着部に縫着固定された裏地に縫着されたほぼＵ字状の臀部を引き上げることができるパワーネット帯体と、一端部が前記パンツ部の内面の裏地の前足繰りライン左右部位に縫着固定され、お腹の位置する部位でクロスするように裏地に縫着され、他端部が前記外着部の脇の下部位の前身頃と後身頃の縫着部に縫着固定されたお腹引きしめ用パワーネット帯体とで構成されているので、パンツ部の後足繰りラインの内面の裏地に沿って設けられたほぼＵ字状の臀部を引き上げることができるパワーネット帯体によって、尻の臀部を下から持ち上げることができる。
したがって、ヒップアップ効果が得られるとともに、臀部以外の前中心身頃等を引っ張ったりすることがなく、窮屈感なく着用することができる。
【００１０】
（２）前記（１）によって、お腹の位置でクロスするお腹引きしめ用パワーネット帯体で、お腹を窮屈感なくすっきり引きしめることができる。
【００１１】
（３）前記（１）によって、臀部を引上げることができるパワーネット帯体およびお腹引きしめ用パワーネット帯体は裏地に縫着されているので、この縫着部が外着部やパンツ部の外側に表れることなく、美しく仕上げることができる。
また、裏地部分は身体に密着するが、裏地以外の外着部やパンツ部の縫着部以外は離れるので、きれいに着こなすことができる。
【００１２】
（４）請求項２も前記（１）〜（３）と同様な効果が得られるとともに、効率よくお腹を引きしめることができ、かつ脇の下部位の幅寸法が小さいので、窮屈感なく着用することができる。
【図面の簡単な説明】
【００１３】
【図１】本考案を実施するための第１の形態の正面図。
【図２】本考案を実施するための第１の形態の背面図。
【図３】本考案を実施するための第１の形態の側面図。
【図４】図３の４−４線に沿う断面図。
【図５】図３の５−５線に沿う断面図。
【図６】本考案を実施するための第１の形態の裏地前身頃の説明図。
【図７】本考案を実施するための第１の形態の裏地後身頃の説明図。
【図８】本考案を実施するための第２の形態の正面図。
【図９】本考案を実施するための第２の形態の背面図。
【図１０】本考案を実施するための第２の形態の側面図。
【図１１】図１０の１１−１１線に沿う断面図。
【考案を実施するための形態】
【００１４】
以下、図面に示す本考案を実施するための形態により、本考案を詳細に説明する。
【００１５】
図１ないし図７に示す本考案を実施するための第１の形態において、１は本考案の水着で、この水着１は肩掛け紐部２、２を有するタンクトップ状態の外着部３、パンツ部４およびこの外着部３とパンツ部４とを接続する伸縮素材の裏地５とで構成されている。
【００１６】
前記外着部３の前身頃３ａと後身頃３ｂの脇の下部分の縫着部６、６および、前身頃３ａの両端部３ｃ、３ｃに両端部が縫着固定されたカップ部材７が取付けられている。
【００１７】
前記パンツ部４はお腹の部分を覆うことができる前身頃４ａと尻の臀部を覆うことができる後身頃４ｂとで構成されている。
【００１８】
前記裏地５は前記外着部３の後見頃３ｂの縫着部６および、前記パンツ部４の後身頃４ｂの縫着部８に縫着固定された裏地後身頃５ｂと、前記外着部３の前身頃３ａの両端部および前記パンツ部４の前身頃４ａの縫着部８に縫着固定された前記外着部３の前身頃３ａの中央端部に縫着される紐部９を有する裏地前身頃５ａと、前記裏地後身頃５ｂのパンツ部４の後足繰りライン１０の内面に沿って、両端部が該パンツ部４の前身頃４ａと後身頃４ｂの縫着部８、８に縫着固定されたほぼＵ字状の臀部を引き上げることができる臀部引き上げパワーネット帯体１１と、一端部が前記裏地前身頃５ａのパンツ部４の前足繰りライン１２の左右部位に縫着固定され、お腹の位置する部位でクロスし、他端部が前記外着部３の脇の下部位の前身頃３ａと後３身頃３ｂの縫着部６、６に縫着固定され、該裏地前身頃５ａに縫着されたお腹引きしめ用パワーネット帯体１３、１３と、このお腹引きしめ用パワーネット帯体１３、１３の両端部の縫着部６、６に両端部が縫着されるように、前記裏地後身頃５ｂに縫着固定された背中のパワーネット帯体１４とで構成されている。
【００１９】
上記構成の水着１は、裏地後身頃５ｂに臀部を引き上げることができる臀部引き上げパワーネット帯体１１が縫着固定されているので、尻の臀部を下から持ち上げて、強力にヒップアップを図ることができる。この時、パンツ部４の前中心身頃を後方へ引っ張ることがないので、窮屈感なく着用できる。
また、裏地前身頃５ａにお腹の位置する部位でクロスするお腹引きしめ用パワーネット帯体１３、１３を縫着固定しているので、お腹を窮屈感なくすっきり引きしめることができる。
また、裏地前身頃５ａと裏地後身頃５ｂは外着部３の前身頃３ａと後身頃３ｂの縫着部６、６やパンツ部４の前身頃４ａと後身頃４ｂの縫着部８、８に逢着されているため、縫着部６、６、８、８以外は離れているので、きれいに着用することができる。
[考案を実施するための異なる形態]
【００２０】
次に、図８ないし図１１に示す本考案を実施するための異なる形態につき説明する。なお、この本考案を実施するための異なる形態の説明に当って、前記本考案を実施するための第１の形態と同一構成部分には同一符号を付して重複する説明を省略する。
【００２１】
図８ないし図１１に示す本考案を実施するための第２の形態において、前記本考案を実施するための第１の形態と主に異なる点は、外着部３の前身頃３ａとパンツ部４の前身頃４ａとを一体に形成したものを用いるとともに、外着部３の後身頃３ｂとパンツ部４の後身頃４ｂとを一体に形成したものを用いたワンピースタイプの水着１Ａにした点で、このように構成した水着１Ａにも臀部を引き上げることができる臀部引き上げパワーネット帯体１１とお腹引きしめ用パワーネット帯体１２、１２が縫着固定された裏地５Ａによって、前記本考案を実施するための第１の形態と同様な作用効果が得られる。
【産業上の利用可能性】
【００２２】
本考案は水着の製造産業で利用される。
【符号の説明】
【００２３】
１、１Ａ：水着、              ２：肩掛け紐部、
３：外着部、                  ４：パンツ部、
５、５Ａ：裏地、              ６：縫着部、
７：カップ部材、              ８：縫着部、
９：紐部、                    １０：後足繰りライン、
１１：臀部引き上げパワーネット帯体、
１２：前足繰りライン、                
１３：お腹引きしめ用パワーネット帯体、
１４：背中のパワーネット帯体。
【図１】
0003150008.tif 000003
【図２】
0003150008.tif 000004
【図３】
0003150008.tif 000005
【図４】
0003150008.tif 000006
【図５】
0003150008.tif 000007
【図６】
0003150008.tif 000008
【図７】
0003150008.tif 000009
【図８】
0003150008.tif 000010
【図９】
0003150008.tif 000011
【図１０】
0003150008.tif 000012
【図１１】
0003150008.tif 000013